(57)【要約】【課題】調達事業者が調達品に関する環境負荷物質の情報収集を行い、その結果を環境配慮のために活用するに当たって、データの質とカバー率に関する情報を加味して評価，選択，検索ができるようにすること。【解決手段】調達品に固有の調達品識別子をキーインデックスとして、納入事業者，調達品の名称型式・関連情報，調達品が含有する物質とその含有量，含有量データの質とカバー率に関する情報をフィールドとしたレコードを格納する調達品調査結果データベース１０２を備え、該データベース１０２にＷｅｂサーバ処理部１０９等を介して、調達品の物質含有量やそのデータの質とカバー率に関する情報を登録する調査登録処理部１０８と、調達品が含有する物質等を検索し、これらの結果を端末上に表示するとともに、データの質とカバー率に関する情報を表示したり、この情報を用いてソーティングする調達品検索処理部１１２を有する。【選択図】　図１
2004013369.tif 000002
【特許請求の範囲】
【請求項１】
調達品の名称型式，該調達品が含有する物質とその含有量に関する情報、及び該含有量のデータの質とカバー率に関する情報を関連付けたデータを格納する調達品調査結果データベースと、
調達品に含まれる物質を特定して前記調達品調査結果データベースを検索する手段と、
抽出された調達品の名称型式，調達品が含有する物質及びその含有量，該含有量のデータの質とカバー率に関する情報を出力する手段と
を有するグリーン調達情報システム。
【請求項２】
請求項１において、前記出力する手段は、前記抽出された調達品の名称型式，調達品が含有する物質及びその含有量，該含有量のデータの質とカバー率に関する情報を、データの質又はカバー率に基づいてソートして出力するグリーン調達情報システム。
【請求項３】
各調達品に付与された固有の調達品識別子と、該調達品の名称型式，該調達品が含有する物質とその含有量に関する情報、及び該含有量のデータの質とカバー率に関する情報を関連付けたデータを格納する調達品調査結果データベースと、
前記調達品識別子をキーインデックスとして、前記調達品調査結果データベースに、該調達品が含有する物質とその含有量に関する情報、及び該含有量のデータの質とカバー率に関する情報を関連付けたデータを登録する手段と
を有するグリーン調達情報システム。
【請求項４】
各物質に付与された固有の物質識別子と、該物質識別子が付与された物質の標準名称や検索のための検索情報を関連付けたデータを格納する対象物質／材料データベース、
各調達品に付与された固有の調達品識別子と、該調達品の名称型式，該調達品の関連情報，該調達品が含有する物質の物質識別子、その物質識別子の物質の含有量、及び該含有量のデータの質とカバー率に関する情報を関連付けたデータを格納する調達品調査結果データベース、
検索情報の入力に基づいて前記対象物質／材料データベースを検索し、検索情報に該当する物質識別子を特定する物質検索処理部、
前記調達品調査結果データベースに調達品が含有する物質に関するデータを登録するに際して、前記調達品が含有する物質の物質識別子を前記物質検索処理部により特定し、前記調達品の調達品識別子，前記名称型式，前記調達品の関連情報，特定された物質識別子，該物質識別子の物質の含有量、及び該含有量のデータの質とカバー率に関する情報を関連付けて登録するようにした調査登録処理部を有するグリーン調達情報システム。
【請求項５】
各物質に付与された固有の物質識別子と、該物質識別子が付与された物質の標準名称や検索のための検索情報を関連付けたデータを格納する対象物質／材料データベース、
前記物質識別子と、該物質識別子が付与された物質が該当する、調達事業者の所定のカテゴリーとを関連付けたデータを格納するカテゴリーデータベース、
各調達品に付与された固有の調達品識別子と、該調達品の名称型式，該調達品の関連情報，該調達品が含有する物質の物質識別子，その物質識別子の物質の含有量、及び該含有量のデータの質とカバー率に関する情報を関連付けたデータを格納する調達品調査結果データベース、
検索情報の入力に基づいて前記対象物質／材料データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記調達品調査結果データベースに調達品が含有する物質に関するデータを登録するに際して、前記調達品が含有する物質の物質識別子を前記物質検索処理部により特定し、前記調達品の調達品識別子，前記名称型式，前記調達品の関連情報，特定された物質識別子，該物質識別子の物質の含有量、及び該含有量のデータの質とカバー率に関する情報を関連付けて登録するようにした調査登録処理部を有するグリーン調達情報システム。
【請求項６】
各物質に付与された固有の物質識別子と、該物質識別子が付与された物質の標準名称や検索のための検索情報を関連付けたデータを格納する対象物質／材料データベース、
納入事業者毎に付与された固有の納入事業者識別子と、納入事業者名やその事業者の関連情報を関連付けたデータを格納する納入事業者データベース、
各調達品に付与された固有の調達品識別子と、該調達品を取扱う納入事業者の納入事業者識別子や該調達品の名称型式，該調達品の関連情報，該調達品が含有する物質の物質識別子，その物質識別子の物質の含有量、及び該含有量のデータの質とカバー率に関する情報を関連付けたデータを格納する調達品調査結果データベース、
検索情報の入力に基づいて前記対象物質／材料データベースを検索し、検索情報に該当する物質識別子を特定する物質検索処理部、
前記調達品調査結果データベースに調達品が含有する物質に関するデータを登録するに際して、前記調達品の納入業者を前記納入業者データベースで納入業者識別子により特定し、前記調達品が含有する物質の物質識別子を前記物質検索処理部により特定し、前記調達品の調達品識別子，前記納入業者識別子，前記名称型式，前記調達品の関連情報，特定された物質識別子，該物質識別子の物質の含有量、及び該含有量のデータの質とカバー率に関する情報を関連付けて登録するようにした調査登録処理部を有するグリーン調達情報システム。
【請求項７】
各物質に付与された固有の物質識別子と、該物質識別子が付与された物質の標準名称や検索のための検索情報を関連付けたデータを格納する対象物質／材料データベースと、
前記物質識別子と、該物質識別子が付与された物質が該当する、調達事業者の所定のカテゴリーとを関連付けたデータを格納するカテゴリーデータベースと、
納入事業者毎に付与された固有の納入事業者識別子と、納入事業者名やその事業者の関連情報を関連付けたデータを格納する納入事業者データベースと、
各調達品に付与された固有の調達品識別子と、該調達品を取扱う納入事業者の納入事業者識別子や該調達品の名称型式，該調達品の関連情報，該調達品が含有する物質の物質識別子，その物質識別子の物質の含有量、及び該含有量のデータの質とカバー率に関する情報を関連付けたデータを格納する調達品調査結果データベースと、
広域ネットワークを介して納入事業者が利用するホームページを開設するＷｅｂサーバ処理部と、
前記Ｗｅｂサーバ処理部を介して入力された検索情報に基づいて前記対象物質／材料データベースを検索し、検索情報に該当する物質識別子を特定する物質検索処理部と、
特定された物質識別子を用いて前記カテゴリーデータベースから該当する所定のカテゴリーを特定するカテゴリー検索処理部と、
前記Ｗｅｂサーバ処理部を介して前記調達品調査結果データベースに調達品が含有する物質に関するデータを登録するに際して、前記調達品の納入業者を前記納入業者データベースで納入業者識別子により特定し、前記調達品が含有する物質の物質識別子を前記物質検索処理部により特定し、前記調達品の調達品識別子，前記納入業者識別子，前記名称型式，前記調達品の関連情報，特定された物質識別子，該物質識別子の物質の含有量、及び該含有量のデータの質とカバー率に関する情報を関連付けて登録するようにした調査登録処理部と
を有するグリーン調達情報システム。
【請求項８】
各物質に付与された固有の物質識別子と、該物質識別子が付与された物質の標準名称や検索のための検索情報を関連付けたデータを格納する対象物質／材料データベースと、
前記物質識別子と、該物質識別子が付与された物質が該当する、調達事業者の所定のカテゴリーとを関連付けたデータを格納するカテゴリーデータベースと、
納入事業者毎に付与された固有の納入事業者識別子と、納入事業者名やその事業者の関連情報を関連付けたデータを格納する納入事業者データベースと、
各調達品に付与された固有の調達品識別子と、該調達品を取扱う納入事業者の納入事業者識別子や該調達品の名称型式，該調達品の関連情報，該調達品が含有する物質の物質識別子，その物質識別子の物質の含有量、及び該含有量のデータの質とカバー率に関する情報を関連付けたデータを格納する調達品調査結果データベースと、
広域ネットワークを介して調達事業者が利用するホームページを開設するＷｅｂサーバ処理部と、
前記Ｗｅｂサーバ処理部を介して調達事業者からのアクセスを受付け、前記データベースを用い、特定の調達品が含有する物質、又は、特定の物質を含有する調達品に関する情報を検索し、これらの検索結果を出力する際に、含有量のデータの質とカバー率に関する情報も合わせて出力する調達品検索処理部と
を有するグリーン調達情報システム。
【請求項９】
請求項８において、前記調達品検索処理部は、検索結果をデータの質又はカバー率に基づいてソートして出力するグリーン調達情報システム。
【請求項１０】
各物質に付与された固有の物質識別子と、該物質識別子が付与された物質の標準名称や検索のための検索情報を関連付けたデータを格納する対象物質／材料データベース、
前記物質識別子と、該物質識別子が付与された物質が該当する、調達事業者の所定のカテゴリーとを関連付けたデータを格納するカテゴリーデータベース、
納入事業者毎に付与された固有の納入事業者識別子と、納入事業者名やその事業者の関連情報を関連付けたデータを格納する納入事業者データベース、
各調達品に付与された固有の調達品識別子と、該調達品を取扱う納入事業者の納入事業者識別子や該調達品の名称型式，該調達品の関連情報，該調達品が含有する物質の物質識別子，その物質識別子の物質の含有量、及び該含有量のデータの質とカバー率に関する情報を関連付けたデータを格納する調達品調査結果データベース、
広域ネットワークを介して調達事業者又は納入事業者が利用するホームページを開設するＷｅｂサーバ処理部、
前記Ｗｅｂサーバ処理部を介して入力された検索情報に基づいて前記対象物質／材料データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記Ｗｅｂサーバ処理部を介して前記調達品調査結果データベースに調達品が含有する物質に関するデータを登録するに際して、前記調達品の納入業者を前記納入業者データベースで納入業者識別子により特定し、前記調達品が含有する化学物質の物質識別子を前記物質検索処理部により特定し、前記調達品の調達品識別子，前記納入業者識別子，前記名称型式，前記調達品の関連情報，特定された物質識別子，該物質識別子の物質の含有量、及び該含有量のデータの質とカバー率に関する情報を関連付けて登録するようにした調査登録処理部、
前記Ｗｅｂサーバ処理部を介して調達事業者からのアクセスを受付け、前記データベースを用い、特定の調達品が含有する化学物質、又は、特定の化学物質を含有する調達品に関する情報を検索し、これらの検索結果を出力する際に、含有量のデータの質とカバー率に関する情報も合わせて出力する調達品検索処理部
を有するグリーン調達情報システム。
【発明の詳細な説明】
【０００１】
【発明の属する技術分野】
本発明は、グリーン調達情報システムに係り、特に、事業者が調達する部品や材料中の環境影響情報を調査，活用するグリーン調達情報システムに関する。
【０００２】
【従来の技術】
グリーン調達（環境に配慮した部品，材料の調達）、特に物品に関するグリーン調達では、調達を行う事業者が調達に際して納入事業者や調達品を選択する際に、調達品の環境影響が考慮される。特に調達品の選択に際しては、調達する部品や材料中の有害物質含有や、環境インベントリーデータ（製造工程でのエネルギー消費など）の調査が行われる。そして、これらの調査結果を活用して自社の設計を改善すると共に、納入事業者にも改善努力を求めることが行われている。
【０００３】
既に各社でこのグリーン調達は行われているが、従来、具体的には次のような方法が用いられている。以下では、環境負荷物質含有に関するＡ社の取組み方法を例として取り上げる。
【０００４】
（１）あらかじめグリーン調達基準を定め、その中で物質をカテゴリーに分けて定義する。例えば禁止物質として、４−アミノビフェニルをはじめとする１００物質のリスト，削減物質にアクリロニトリルをはじめとする３００物質のリスト，要管理物質としてアセトンをはじめとする６００物質のリストを作成し、Ａ社調達部門より、この３種類のリストを公開する。これらのリストには、物質のＣＡＳ番号（Ｃｈｅｍｉｃａｌ　Ａｂｓｔｒａｃｔ　Ｓｅｒｖｉｃｅｓ番号と呼ばれる国際的な表記）とＡ社内部における物質の標準的な呼称が記載されている。
【０００５】
（２）Ａ社は納入事業者のＢ社とＣ社に対して、納入品調査の協力依頼をする。すなわち、上記のリスト中の物質に関して、Ａ社に納入している全製品に関する含有率または含有量の提出を求める。提出するデータは、インターネットで公開されているＡ社のホームページから入力してもらう。
【０００６】
（３）Ａ社では、このデータを製品情報として蓄積し、製造部門や設計部門が、材料や部品を選定する際の参考にするとともに、納入事業者のＢ社とＣ社には禁止物質の代替化，削減物質の含有量の削減を要望する。
【０００７】
尚、グリーン調達に関する従来技術としては、特開２００１−５６７０８号公報や特開２００２−９２０９３号公報に記載のものがある。
【０００８】
【発明が解決しようとする課題】
しかし、上述の従来技術には、以下に述べるような課題がある。
【０００９】
例えば、次のような想定をしてみよう。納入事業者Ｂ社は自社の製品中の化学物質組成情報を全て把握できていて、正確なデータを提供したことにより、わずかながら有害な物質の含有量がデータとして登録されている。一方では、納入事業者Ｃ社の製品には、全重量の５０％に不明な材料が使用されており、残りの５０％の部分についてデータを提供しているが、その限りでは有害物質は見あたらなかった。このような場合、単に提供されたデータから見る限り、Ｃ社の製品のほうが望ましい結果に取られがちであるが、実際には、化学物質組成情報を全て把握するという高度な生産管理を実施しているＢ社のほうが高い評価を得ることが妥当と考えられる。一般に、グリーン調達データの収集においては、そのデータの質（信頼性，精度）とカバー率に関する情報抜きには本来の目的は達成できない。
【００１０】
本発明の目的は、環境負荷物質や環境負荷材料の情報収集に当たって、データの質（信頼性，精度）とカバー率に関する情報を収集することのできるグリーン調達情報システムを提供することにある。
【００１１】
【課題を解決するための手段】
上記目的は、特許請求の範囲に記載の構成によって達成される。
【００１２】
上記目的を達成する、より具体的な本発明のグリーン調達情報システムの一例としては、対象物質／材料データベース，カテゴリーデータベース，納入事業者データベース，データの質（信頼性，精度）とカバー率に関する情報を収納する調達品調査結果データベース、およびこれらのデータの検索と登録を実施する物質検索処理部，カテゴリー検索処理部，Ｗｅｂサーバ処理部，登録支援処理部，調査登録処理部，調達品検索処理部を備える。
【００１３】
調達品調査結果データベースには、データの質（信頼性，精度）とカバー率に関する情報をフィールドとしたレコードを格納してある。
【００１４】
調査登録処理部は、Ｗｅｂサーバ処理部を介して、納入事業者からのアクセスを受け付け、物質識別子に対する調達品の物質含有量の情報だけでなく、データの質（信頼性，精度）とカバー率に関する情報を入力し、その結果を調達品調査結果データベースに登録する。
【００１５】
調達品検索処理部は、Ｗｅｂサーバ処理部を介して、調達事業者からのアクセスを受け付け、納入事業者の情報やその事業者から調達している物品が含有する化学物質とその事業者におけるカテゴリーに関連する情報を検索し、これらの結果を端末上に表示する。その際に、単に化学物質の含有量を表示するだけでなく、データの質（信頼性，精度）とカバー率に関する情報を表示したり、この情報を用いてソーティングする。
【００１６】
さらに、このグリーン調達情報システムの具体的態様は次の通りである。すなわち、対象物質／材料データベースには、物質に固有の物質識別子（これはユニークで重複がない）をキーインデックスとして、標準名称、および検索のための検索情報をフィールドとするレコード群を格納してある。ここで検索情報は例えば、複数のＣＡＳ番号，俗称を含む複数の名称，よみがな，化学記号（組成式，化学式）、あるいは法律における整理番号（例えば化学物質管理促進法における物質番号）などである。
【００１７】
カテゴリーデータベースには、物質識別子をキーとして、その物質が該当するカテゴリーをフィールドとするレコード群を格納してある。
【００１８】
納入事業者データベースには、納入事業者毎に固有の納入事業者識別子をキーインデックスとして、納入事業者の名称と事業者関連情報をフィールドとするレコード群を格納してある。
【００１９】
調達品調査結果データベースには、調達品に固有の調達品識別子をキーインデックスとして、調達品の名称型式，その調達品を取り扱っている事業者の納入事業者識別子，調達品の関連情報，調達品が含有する物質識別子，その含有量に関する情報をフィールドとしたレコードに加えて、データの質（信頼性，精度）とカバー率に関する情報をフィールドとしたレコードを格納してある。
【００２０】
物質検索処理部は、検索情報を元に対象物質／材料データベースのレコード群を検索し、該当する物質識別子を特定する。
【００２１】
カテゴリー検索処理部は、物質識別子からカテゴリーデータベースのレコード群を検索し、該当するカテゴリーを特定する。
【００２２】
Ｗｅｂサーバ処理部は、広域ネットワークを介して、納入事業者が利用するホームページを開設する。このホームページでは、ログイン画面によって納入事業者を識別したり、納入事業者の端末画面に情報を表示すると共に、端末から情報を入力する機能を有する。
【００２３】
登録支援処理部は、まずＷｅｂサーバ処理部を介して、納入事業者から検索情報の入力を促し、そこで入力された情報と物質検索処理部を用いて調達事業者のリスト中の該当する化学物質の物質識別子と標準名称を特定する。さらにカテゴリー検索処理部を用いて、該当物質がどのカテゴリーに属するかを特定し、再びＷｅｂサーバ処理部を介して、特定された標準名称およびカテゴリーを納入事業者の端末上に表示する。登録支援処理部が検索情報から物質識別子を特定するプロセスにおいて、検索情報に複数の物質識別子が該当する場合には、その各々のレコードにおけるＣＡＳ番号フィールドと物質識別子フィールドの内容を画面上に表示し、その中から一つを納入事業者が選択するか、さらに絞り込みの検索情報入力を受け付けることによって、最終的には一つの物質識別子を特定する。
【００２４】
調査登録処理部は、Ｗｅｂサーバ処理部を介して、納入事業者からのアクセスを受け付け、物質識別子に対する調達品の物質含有量の情報だけでなく、データの質（信頼性，精度）とカバー率に関する情報を入力し、その結果を調達品調査結果データベースに登録する。
【００２５】
調達品検索処理部は、Ｗｅｂサーバ処理部を介して、調達事業者からのアクセスを受け付け、納入事業者の情報やその事業者から調達している物品が含有する化学物質とその事業者におけるカテゴリーに関連する情報を検索し、これらの結果を端末上に表示する。その際に、単に化学物質の含有量を表示するだけでなく、データの質（信頼性，精度）とカバー率に関する情報を表示したり、この情報を用いてソーティングすることができる。
【００２６】
【発明の実施の形態】
図１に本発明の実施の形態であるグリーン調達システムの構成図を示す。このグリーン調達システム１００は、納入事業者データベース１０１と、調達品調査結果データベース１０２と、対象物質／材料データベース１０３と、カテゴリーデータベース１０４と、物質検索処理部１０５と、カテゴリー検索処理部１０６と、登録支援処理部１０７と、調査登録処理部１０８と、調達品検索処理部１１２と、Ｗｅｂサーバ処理部１０９とを備える。
【００２７】
対象物質／材料データベース１０３は、物質に固有の物質識別子（これはユニークで重複がない）をキーインデックスとして、標準名称、および検索のための検索情報をフィールドとするレコード群を格納する。ここで検索情報は例えば、複数のＣＡＳ番号，俗称を含む複数の名称，よみがな，化学記号（組成式，化学式）、あるいは法律における整理番号（例えば化学物質管理促進法における物質番号）などである。
【００２８】
カテゴリーデータベース１０４には、物質識別子をキーとして、その物質が該当するカテゴリーをフィールドとするレコード群を格納する。
【００２９】
納入事業者データベース１０１には、納入事業者毎に固有の納入事業者識別子をキーインデックスとして、納入事業者の名称と事業者関連情報をフィールドとするレコード群を格納する。
【００３０】
調達品調査結果データベース１０２には、調達品に固有の調達品識別子をキーインデックスとして、調達品の名称，その調達品を取り扱っている事業者の納入事業者識別子，調達品の関連情報，調達品が含有する物質および材料を特定する物質識別子，その含有量に関する情報、およびデータの質（信頼性，精度）とカバー率に関する情報をフィールドとしたレコードを格納する。この含有量の情報は、ｍｇなどの具体的な質量でも、納入品の質量に対する比率％でも、あるいは単位コードフィールドを別に設けて両者を併用しても良い。
【００３１】
物質検索処理部１０５は、対象物質／材料データベース１０３のレコード群を、複数のＣＡＳ番号，俗称を含む複数の名称，よみがな，化学記号（組成式，化学式）、あるいは法律における整理番号（例えば化学物質管理促進法における物質番号）などの検索情報部分のフィールドについて検索し、該当するキーインデックスである物質識別子を特定する。
【００３２】
カテゴリー検索処理部１０６は、カテゴリーデータベース１０４のレコード群を物質識別子フィールドについて検索し、該当するカテゴリーを特定する。
【００３３】
Ｗｅｂサーバ処理部１０９は、広域ネットワーク１１０を介して、納入事業者が利用するホームページを開設する。このホームページでは、ログイン画面によって納入事業者を識別したり、納入事業者の端末画面に情報を表示すると共に、端末から情報を入力する機能を有する。
【００３４】
登録支援処理部１０７は、まずＷｅｂサーバ処理部１０９を介して、納入事業者１１１から検索情報の入力を促し、そこで入力された情報を物質検索処理部１０５に供給し、該当する化学物質の物質識別子と標準名称を特定する。この物質識別子をカテゴリー検索処理部１０６に供給して、該当物質がどのカテゴリーに属するかを特定し、再びＷｅｂサーバ処理部１０９を介して、特定された標準名称およびカテゴリーを納入事業者の端末上に表示する。登録支援処理部１０７が検索情報から物質識別子を特定するプロセスにおいて、検索情報に複数の物質識別子が該当する場合には、その各々のレコードにおけるＣＡＳ番号フィールドと物質識別子フィールドの内容を画面上に表示し、その中から一つを納入事業者が選択するか、さらに絞り込みの検索情報入力を受け付けることによって、最終的には一つの物質識別子を特定する。
【００３５】
調査登録処理部１０８は、Ｗｅｂサーバ処理部１０９を介して、納入事業者からのアクセスを受け付け、データの質（信頼性，精度）とカバー率に関する情報や個別の物質識別子に対する調達品の物質含有量の情報を受け取り、その数値を調達品調査結果データベース１０２に登録するとともに、調達品のその他のフィールドの情報も登録する。この調査の内容には、納入事業者自体の関連情報も含まれ、その入力結果は納入事業者データベース１０１に登録される。
【００３６】
調達品検索処理部１１２は、Ｗｅｂサーバ処理部１０９を介して、調達事業者からのアクセスを受け付け、調達品調査結果データベース１０２、をはじめとする他の全てのデータベースと検索機能を用いて、次のような検索機能を提供する。すなわち、ある調達品がどの納入事業者のものであるか、その納入事業者の事業者関連情報はどのようなものであるか、その調達品はどのような物質をどの程度の量含有しており、その情報はどのような質（信頼性，精度）とカバー率で提供されているか、その物質の該当するその調達事業者におけるカテゴリーはなんであるか、あるいは、その調達事業者におけるある特定のカテゴリーを含む物質を含有している調達品にはどのようなものがあるか、などを検索できる。
【００３７】
図２に本発明の実施の形態であるグリーン調達情報システムにおける対象物質／材料データベース１０３の構造例を示す。キーインデックスとなる物質識別子は、少なくともグリーン調達情報システム内においては、重複がないユニークな記号である。例えば、Ｈ０００１は、標準名称「ジクロロメタン」のインデックスである。このジクロロメタンは、ＣＡＳ番号が７５−０９−２であり、この番号が検索情報として記憶されている。また、その他の検索情報として、「塩化メチレン」という別名、「えんかめちれん」という読み仮名，化学式、また、労働安全衛生法に指定された物質番号，化学物質管理促進法に指定された物質番号が記憶されている。物質識別子がＨ０００２の二酸化珪素は、形態によりＣＡＳ番号が複数割り当てられている例である。呼び名も「シリカ」，「石英」などとも呼ばれ、労働安全衛生法の３１１番に指定されている物質である。このほかの検索情報としては、英語をはじめ各国の言語による物質名称などを記憶させることもできる。なお、ここでは物質と材料は同様に扱っている。例えば、アルミニウムやポリプロピレンなどは物質でもあり材料でもある。いずれもＣＡＳ番号がついている。一方、複合材料などにはＣＡＳ番号がついていないものもあるが、固有の物質識別子は同様に付与する。
【００３８】
図３は、本発明の実施の形態であるグリーン調達情報システムにおけるカテゴリーデータベース１０４の構造例を示す。物質識別子毎に、「禁止」，「削減」，「管理」の該当するカテゴリーが記憶されている。
【００３９】
図４は本発明の実施の形態であるグリーン調達情報システムにおける納入事業者データベース１０１の構造例を示す。キーインデックスとなる納入事業者識別子は、少なくともグリーン調達情報システム内においては、重複がないユニークな記号である。例えば、Ｓ０００１は、名称「Ｈ電機製作所」のインデックスである。この会社の事業者関連情報として、連絡先およびＩＳＯ１４００１認証取得に関する情報が記憶されている。ＩＳＯ１４００１認証取得のフィールドは、０が未取得かつ計画なし、１が未取得であるが計画中、２が取得済みを意味する。
【００４０】
図５は本発明の実施の形態であるグリーン調達情報システムにおける調達品調査結果データベース１０２の構造例を示す。キーインデックスとなる調達品識別子は、少なくともグリーン調達情報システム内においては、重複がないユニークな記号である。例えば、図の例では、調達品Ｐ０００１は、Ｓ０００１番の識別子を持つ納入事業者の「コンデンサＣＦＮ０１０１」なる名称型式の商品であり、関連情報として、リサイクル率が３０％であり、グリーン商品の認定を受けていることが記憶されている（１は認定、０は非認定を意味する）。含有物質情報として、物質識別子Ｈ０００３９の物質を３．０５％（質量パーセント）、Ｈ０００７８の物質を２．０３％、Ｈ００１０４の物質を０．１５％、各々含有していることが記憶されている。この含有量の情報は、ｍｇなどの具体的な質量の数値と、単位コードフィールドを別に設けて記憶する方法もある。これらに加えて、データクオリティ情報として、信頼度が３のランク（１から５までの信頼度ランクを想定する）であり、カバー率（材料や物質の情報把握率）が５０％であることを示している。この信頼度とカバー率の組合せによって、様々な分類が可能である。例えば、数値の誤差を表すものとして、「１％未満…５，５％未満…４，１０％未満…３，２０％未満…４，それ以上の誤差…５」とすると、含有物質量として記載された質量パーセントの数値の上限と下限が推定できる。また、信頼度を次のように定義することもできる。「知っているデータ全てを提供する…４，知っているデータの一部を提供する…３，知っているがデータを提供しない…２，なにもしらない…１」。これは納入事業者の協力度も加味を伺い知ることもできる情報になっている。
【００４１】
図６は本発明の実施の形態であるグリーン調達情報システムにおける物質検索処理部１０５の処理フローを示す。ＣＡＳ番号や、読み仮名などの検索キーワードが与えられると（６ａ）、対象物質／材料データベース１０３のレコードから一つを選び、その検索情報フィールドを読みだす（６ｂ）。その検索情報フィールド中の情報が、与えられた検索キーワードと一致するならば、そのレコードの物質識別子の値を出力する（６ｄ）。ここで、検索キーワードと検索情報フィールドの一致判定に関しては、完全に一致する完全一致，前から比較して一致する前方一致，情報中の一部分がキーワードに一致する部分一致のいずれかの方式をとる。検索キーワードを与える際にこの方式の選択指示をパラメータとして与え、６ｃの一致判定時に方式を切り替えることも可能である。一方、検索キーワードと一致しなかった場合は、新たにひとつのレコードを対象物質／材料データベース１０３から選び、全レコードをチェックし終えるまで、繰り返し処理を行う（６ｅ）。
【００４２】
図７は本発明の実施の形態であるグリーン調達情報システムにおける登録支援処理部１０７の処理フローを示す。まずＷｅｂサーバ処理部１０９を介して、納入事業者から検索情報の入力を促し（７ａ）、そこで入力された情報を物質検索処理部１０５に供給し、該当する化学物質の物質識別子を特定する（７ｂ）。ここで、特定された物質識別子は一つであるとは限らない。つぎに、対象物質／材料データベース１０３のレコードにこの物質識別子を照合することによって、各物質識別子の標準名称を得る（７ｃ）。もし、物質識別子が複数であれば（７ｄ）、この結果をリストとして、納入事業者の端末に表示し、再検索のための検索情報の入力を促す（７ｅ）。最終的にステップ７ｂで得られた物質識別子が一つとなるまで検索を続けた後、その物質識別子をカテゴリーデータベース１０４と照合して物質のカテゴリーを得る（７ｆ）。最後にＷｅｂサーバ処理部１０９を介して、物質の標準名称とカテゴリーを併せて納入事業者の端末に表示する（７ｇ）。
【００４３】
図８は本発明の実施の形態であるグリーン調達情報システムにおける調査登録処理部１０８の処理フローを示す。まずＷｅｂサーバ処理部１０９を介して、納入事業者よりログインを受け付ける。この際に納入事業者識別子を特定する（８ａ）。次に関連情報の入力を促し、その情報を、納入事業者データベース１０１の該当する納入事業者識別子のレコードにおける事業者関連情報フィールドに登録する。既に登録されている場合は、既登録の情報を納入事業者の端末に表示した後に、更新する必要のある場合にのみ新たな入力を促す（８ｂ）。次に調達品調査結果データベース１０２への登録を開始する（８ｃ）。まず、新規調達品か、既登録の調達品かを判定する（８ｄ）。既登録の場合は、調達品調査結果データベース１０２中の既登録品の一覧を端末に表示し、一つの選択を促す。この際に「名称型式」，「関連情報」に関するキーワード検索の手段を用いることもできる。いずれにせよ最終的には一つの調達品識別子を選択する（８ｅ）。一方、新規登録の場合は、重複のない調達品識別子を新たに生成し、レコードを新設すると共に、納入事業者識別子フィールドに納入事業者識別子を登録する（８ｆ）。次に該当する調達品のレコードに対して、関連情報を登録（８ｇ）した後、データクオリティ情報の登録を行う（８ｈ）。次に含有物質情報の登録処理に入る（８ｉ〜８ｍ）。含有物質情報の登録処理では、まず物質を特定することの困難を解決しなければならないため、登録支援処理部１０７の機能を用いて、物質識別子を特定する（８ｉ）（納入事業者の物質含有量のデータが顧客の要求するリスト中の物質およびその禁止，削減等のカテゴリーと一致していない場合には、納入事業者は膨大なデータのリストを一行一行チェックし、顧客への納入品に含まれる物質が顧客の規定するどの物質でどのカテゴリーに属するのかを判断しなければならず、また、世界に数百万種類もある化学物質は、ＣＡＳ番号や名称で表記されるが、いずれもユニークなものではなく、ＣＡＳ番号，名称共に、同一の物質に複数の表記が割り当てられており、特に名称には何種類もの呼び方が許されているため、他社のリストと自分のリストを照合することだけでも容易ではないが、本実施例のようにユニークな物質識別子を用いることによってこのような問題が解消される。）。次に、この物質の含有量に関し質量％で入力を促す（８ｊ）。その結果を調達品調査結果データベース１０２の含有物質情報として登録する（８ｋ）。含有物質情報は登録する物質の数だけの複数操作が必要となるため、全物質を終了するまで繰り返す（８ｌ）。
【００４４】
図９は、本発明の実施の形態であるグリーン調達情報システムにおける調達品検索処理部１１２の処理フローの例を示す。まずＷｅｂサーバ処理部１０９を介して、調達事業者よりログインを受け付け、検索要望を特定する（９ａ）。この要望が、調達品の納入事業者情報を検索するものならば処理Ａを実行する（９ｂ）。調達品の含有物質を検索するものならば処理Ｂを実行する（９ｃ）、またある物質を含有する調達品を検索するものならば処理Ｃを実行する（９ｄ）。
【００４５】
図１０は、図９における処理Ａの詳細処理フローを示す。まずＷｅｂサーバ処理部１０９を介して、検索キーワードを入力する（１０ａ）。次に調達品調査結果データベース１０２を参照して、このキーワードと名称型式フィールドが前方一致，部分一致，完全一致などの観点で合致するレコードを一つ特定する（１０ｂ）。さらに同レコードから納入事業者識別子を読みとる（１０ｃ）。次に納入事業者データベース１０１を参照して、この納入事業者事業識別子から納入事業者名称や関連情報を読み出し、Ｗｅｂサーバ処理部１０９を介して端末に表示する（１０ｄ）。以上の検索と表示処理を調達品調査結果データベース１０２の全レコードを対象に実行する（１０ｅ）。
【００４６】
図１１は、図９における処理Ｂの詳細処理フローを示す。まずＷｅｂサーバ処理部１０９を介して、検索キーワードを入力する（１１ａ）。次に調達品調査結果データベース１０２を参照して、このキーワードと名称型式フィールドが前方一致，部分一致，完全一致などの観点で合致するレコードを一つ特定する（１１ｂ）。もし複数のレコードが該当する場合は、一つに絞り込むまで検索を継続する（１１ｃ）。次に、同レコードよりデータクオリティ情報を読み込む（１１ｄ）。さらに同レコードより物質識別子と含有％を読み込む（１１ｅ）。次にカテゴリーデータベース１０４を参照して、この物質識別子の該当するカテゴリーを特定する（１１ｆ）。さらに対象物質／材料データベース１０３を参照して、ステップ１１ｃで特定した物質識別子の標準名称を特定する（１１ｇ）。最後に、一連の処理により得られた情報、すなわち、▲１▼物質の標準名称，▲２▼含有率，▲３▼該当するカテゴリー、を纏めて一覧表示する（１１ｈ）。以上の処理を、ステップ１１ｃで特定したレコードにおける全含有物質について実行する（１１ｉ）。
【００４７】
図１２は、図９における処理Ｃの詳細処理フローを示す。まずＷｅｂサーバ処理部１０９を介して、検索キーワードを入力する（１２ａ）。次にそのキーワードを物質検索処理部１０５に供給し、物質の標準名称と物質識別子を特定する（１２ｂ）。さらに、調達品調査結果データベース１０２を参照して、この物質識別子が登録されているレコードを一つ選択し（１２ｃ）、そのレコードからデータクオリティ情報，含有％および納入事業者識別子と名称型式をよみ出しておく（１２ｄ）、さらに納入事業者識別子から納入事業者名称を引き出しておく（１２ｅ）。最後に一連の処理により得られた情報、すなわち、▲１▼データクオリティ，▲２▼調達品の名称型式，▲３▼物質標準名称と含有率，▲４▼納入事業者の名称、を纏めて一覧表示する（１２ｆ）。以上の処理を、調達品調査結果データベース１０２の全レコードについて実行する（１２ｇ）。さらに、全レコード終了後、データクオリティに従って、１２ｆの結果をソーティングし、再表示する（１２ｈ）。ソーティングが前提とされる場合は、１２ｆは実際には画面表示をせずに、中間データを生成するだけにとどめることもできる。もちろん、▲１▼から▲５▼の項目を組み合わせてインタラクティブにソーティングすることも可能である。
【００４８】
図１３は、調査登録処理部１０８の処理フロー図８における、データクオリティ情報登録処理（８ｈ）に関する表示画面例である。信頼度を７段階に分けて評価する例を示した。
【００４９】
図１４は、調達品検索処理部１１２の処理フロー図１２における、データクオリティに従ってソーティングして再表示する処理（１２ｈ）に関する表示画面例である。信頼度を第１優先キー、カバー率を第２優先キーとしてソーティングした場合を示す。このようなデータクオリティ条件でのソーティングに組み合わせて、製品の型式や納入事業者などの情報を絞り込み条件に追加することもできる。
【００５０】
【発明の効果】
本発明によれば、調達事業者が調達品に関する環境負荷物質や環境負荷材料の情報収集を行い、その結果を環境配慮のために活用するに当たって、データの質（信頼性，精度）とカバー率に関する情報を加味して評価，選択，検索ができるという効果がある。
【図面の簡単な説明】
【図１】本発明の実施の形態の構成図。
【図２】本発明の実施の形態におけるデータベースの構造図。
【図３】本発明の実施の形態におけるデータベースの構造図。
【図４】本発明の実施の形態におけるデータベースの構造図。
【図５】本発明の実施の形態におけるデータベースの構造図。
【図６】本発明の実施の形態における処理フロー図。
【図７】本発明の実施の形態における処理フロー図。
【図８】本発明の実施の形態における処理フロー図。
【図９】本発明の実施の形態における処理フロー図。
【図１０】本発明の実施の形態における処理フロー図。
【図１１】本発明の実施の形態における処理フロー図。
【図１２】本発明の実施の形態における処理フロー図。
【図１３】本発明の実施の形態における表示画面例を示す図。
【図１４】本発明の実施の形態における表示画面例を示す図。
【符号の説明】
１０１…納入事業者データベース、１０２…調達品調査結果データベース、
１０３…対象物質／材料データベース、１０４…カテゴリーデータベース、１０５…物質検索処理部、１０６…カテゴリー検索処理部、１０７…登録支援処理部、１０８…調査登録処理部、１０９…Ｗｅｂサーバ処理部、１１０…広域ネットワーク、１１２…調達品検索処理部。
【図１】
2004013369.tif 000003
【図２】
2004013369.tif 000004
【図３】
2004013369.tif 000005
【図４】
2004013369.tif 000006
【図５】
2004013369.tif 000007
【図６】
2004013369.tif 000008
【図７】
2004013369.tif 000009
【図８】
2004013369.tif 000010
【図９】
2004013369.tif 000011
【図１０】
2004013369.tif 000012
【図１１】
2004013369.tif 000013
【図１２】
2004013369.tif 000014
【図１３】
2004013369.tif 000015
【図１４】
2004013369.tif 000016